(57)【要約】【課題】光ディスクを購入した特典として、購入者だけがＮＧシーンなどのカット映像やメイキング映像などの追加映像を、サーバーからダウンロードでき、ハードディスクに記録できる複合型記録再生装置を提供する。【解決手段】挿入されたＤＶＤがサーバーから特典データをダウンロードさせることが可能なメディアである場合に、サーバーから特典データをハードディスクにダウンロードする操作がされたときに、サーバーに接続してサーバーに特典データが有るか無いかの確認が行われる。サーバーに特典データが有れば、この特典データがハードディスクにダウンロードされる。特典データが以前にハードディスクに記録されている場合は、サーバーに最新の特典データが有るか無いかの確認が行われ、サーバーに最新の特典データが有れば、この最新の特典データがハードディスクにダウンロードされる。【選択図】図７
2007323136.tif 000002
【特許請求の範囲】
【請求項１】
光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、
挿入された光ディスクは前記サーバーから特典データをダウンロードさせることが可能なメディアであるか否かを当該光ディスクのディスク管理情報により判定するダウンロード可能メディア判定手段と、
当該光ディスクがダウンロード可能メディアであると判定されたときに、前記ハードディスクに以前にダウンロードされた特典データが有るか否かを判定する特典データ有無判定手段と、
前記ハードディスクに以前にダウンロードされた特典データが有ると判定されたときに、前記サーバーに最新の特典データが有るか無いかの確認操作がされたか否かを判定する最新特典データ確認操作判定手段と、
前記ハードディスクに以前にダウンロードされた特典データが無いと判定されたときに、前記サーバーに特典データが有るか無いかの確認操作がされたか否かを判定する特典データ確認操作判定手段と、
前記最新特典データ確認操作がされたと判定されたときに、前記サーバーに接続して前記サーバーに最新の特典データが有るか無いかの確認を、当該光ディスクの特典データ識別情報に対応する前記サーバー内の特典データ識別情報と、この特典データ識別情報に対応する特典データ登録年月日とを参照して行う最新特典データ有無確認手段と、
前記特典データ確認操作がされたと判定されたときに、前記サーバーに接続して前記サーバーに特典データが有るか無いかの確認を、当該光ディスクのディスク管理情報に含まれる特典データ識別情報に対応する前記サーバー内の特典データ識別情報により行う特典データ有無確認手段と、
前記最新特典データ有無確認手段により前記サーバーに最新の特典データが有ることが確認されたとき、ダウンロードを開始して前記ハードディスクに前記最新の特典データを記録させると共に、前記特典データ有無確認手段により前記サーバーに特典データが有ることが確認されたとき、ダウンロードを開始して前記ハードディスクに前記特典データを記録させるダウンロード手段と、を有するシステムコントローラを備えたことを特徴とする複合型記録再生装置。
【請求項２】
光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、
挿入された光ディスクが前記サーバーから特典データをダウンロードさせることが可能なメディアである場合に、前記サーバーから特典データを前記ハードディスクにダウンロードする操作がされたときに、前記サーバーに接続して前記サーバーに特典データが有るか無いかの確認を行って前記サーバーに特典データが有れば、この特典データを前記ハードディスクにダウンロードする制御を行い、前記特典データが以前に前記ハードディスクに記録されている場合は、前記サーバーに最新の特典データが有るか無いかの確認を行って前記サーバーに最新の特典データが有れば、この最新の特典データを前記ハードディスクにダウンロードする制御を行うシステムコントローラを備えたことを特徴する複合型記録再生装置。
【請求項３】
前記サーバーに特典データが有るか無いかの確認は、当該光ディスクのディスク管理情報に含まれる特典データ識別情報に対応する前記サーバー内の特典データ識別情報により行うことを特徴とする請求項２に記載の複合型記録再生装置。
【請求項４】
前記サーバーに最新の特典データが有るか無いかの確認は、当該特典データの特典データ識別情報に対応する前記サーバー内の特典データ識別情報と、この特典データ識別情報に対応する特典データ登録年月日とを参照して行うことを特徴とする請求項２に記載の複合型記録再生装置。
【請求項５】
前記システムコントローラは、挿入された光ディスクは前記サーバーから特典データをダウンロードさせることが可能なメディアであるか否かを当該光ディスクのディスク管理情報により判定するダウンロード可能メディア判定手段と、当該光ディスクがダウンロード可能メディアであると判定されたときに、前記ハードディスクに以前にダウンロードされた特典データが有るか否かを判定する特典データ有無判定手段と、前記ハードディスクに以前にダウンロードされた特典データが有ると判定されたときに、前記サーバーに最新の特典データが有るか無いかの確認操作がされたか否かを判定する最新特典データ確認操作判定手段と、前記ハードディスクに以前にダウンロードされた特典データが無いと判定されたときに、前記サーバーに特典データが有るか無いかの確認操作がされたか否かを判定する特典データ確認操作判定手段と、前記最新特典データ確認操作がされたと判定されたときに、前記サーバーに接続して前記サーバーに最新の特典データが有るか無いかの確認を、当該光ディスクの特典データ識別情報に対応する前記サーバー内の特典データ識別情報と、この特典データ識別情報に対応する特典データ登録年月日とを参照して行う最新特典データ有無確認手段と、前記特典データ確認操作がされたと判定されたときに、前記サーバーに接続して前記サーバーに特典データが有るか無いかの確認を、当該光ディスクのディスク管理情報に含まれる特典データ識別情報に対応する前記サーバー内の特典データ識別情報により行う特典データ有無確認手段と、前記最新特典データ有無確認手段により前記サーバーに最新の特典データが有ることが確認されたとき、ダウンロードを開始して前記ハードディスクに前記最新の特典データを記録させると共に、前記特典データ有無確認手段により前記サーバーに特典データが有ることが確認されたとき、ダウンロードを開始して前記ハードディスクに前記特典データを記録させるダウンロード手段とを有することを特徴とする請求項２に記載の複合型記録再生装置。
【発明の詳細な説明】
【技術分野】
【０００１】
本発明は、光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置に関し、特に、光ディスクを購入した特典して特典データをサーバーからハードディスクにダウンロードする際の処理に関する。
【背景技術】
【０００２】
近年、映画等のような大量の映像音声データなどの情報を記録することができる光ディスクであるＤＶＤ（デジタル・バーサタイル・ディスク）が普及しつつある。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷあるいはＤＶＤ−ＲＡＭなどが知られている。
【０００３】
ところで、前記光ディスクのうちＤＶＤ−ＲＯＭは、映画や音楽コンサートなどの情報を記録して販売されている。このような映画や音楽コンサートなどの情報を記録したＤＶＤ−ＲＯＭの光ディスクは、購入者に対して引き続いて購買意欲を促すため、特典が有るものがある。この特典としては、購入者だけがＮＧシーンのカット映像やメイキング映像などを追加映像として観ることができるように、追加映像を記録したＤＶＤ−ＲＯＭの光ディスクが販売されている場合もある。
【特許文献１】特開２００１−３３１６５９号公報
【特許文献２】特開２００３−１３２４２５号公報
【特許文献３】特開２００４−１５６９９５号公報
【発明の開示】
【発明が解決しようとする課題】
【０００４】
しかしながら、映画や音楽コンサートなどの情報を記録したＤＶＤ−ＲＯＭの光ディスクの購入者が、ＮＧシーンのなどのカット映像やメイキング映像などを追加映像として観るためには、その追加映像を記録したＤＶＤ−ＲＯＭの光ディスクをディスク販売店や通信販売などで購入しなければならないので、購入が面倒であり、しかも購入費も要することになり、特典の有る光ディスクであっても、かえって購入意欲が低下するという課題が生じる。
【０００５】
そこで、光ディスクに記録された情報を再生、あるいは光ディスクに対して情報を記録／再生する光ディスク装置と、ハードディスクに対して情報を記録／再生するハードディスク装置とを備え、特典データをサーバーからダウンロードさせることを可能にするダウンロード可能情報を持つ光ディスクを挿入し、この後、サーバーから特典データをダウンロードしてハードディスクに記録させることができる構成を有する複合型記録再生装置が有れば、追加映像を記録した光ディスクをディスク販売店や通信販売などで購入する必要が無くなるが、従来の複合型記録再生装置では、サーバーから特典データをダウンロードしてハードディスクに記録させることができる構成を有していないので、前記のような課題を解決することができない。
【０００６】
なお、特許文献１の従来技術は、情報を記録する情報記憶領域を有する着脱可能なディスクに、画像や音楽などのサービス情報がロックキーを付して記憶されており、このディスクをネットワーク上にあるコンピュータに接続し、ディスクに記憶されたサービス情報の購入が指示された場合に、ロックキーをネットワークを介して送信される解除キーで解除してサービス情報を読み取るように構成されているが、光ディスクを購入した特典としてＮＧシーンのなどのカット映像やメイキング映像などの追加映像を、複合型記録再生装置におけるハードディスクにダウンロードするように構成されたものではない。
【０００７】
特許文献２の従来技術は、プリペイド式ディスクに格納されたコンテンツ取得プログラムおよび端末が協働してユーザが指示したコンテンツをサーバーからダウンロードして、プリペイド式ディスクに記録するように構成されているが、この従来技術も、光ディスクを購入した特典としてＮＧシーンのなどのカット映像やメイキング映像などの追加映像を、複合型記録再生装置におけるハードディスクにダウンロードするように構成されたものではない。
【０００８】
特許文献３の従来技術は、購入したカーナビゲーションの操作説明書や車両の取扱説明書などを映像データと音声データとの電子データに変換したマニュアル対応ソフトを、購入者端末の通信手段を介してホストコンピュータから購入者のカーナビゲーションのハードディスクにダウンロードするように構成されているが、この従来技術も、光ディスクを購入した特典としてＮＧシーンのなどのカット映像やメイキング映像などの追加映像を、複合型記録再生装置におけるハードディスクにダウンロードするように構成されたものではない。
【０００９】
本発明は、上記のような課題を解決するためになされたもので、光ディスクを購入した特典として、購入者だけがＮＧシーンなどのカット映像やメイキング映像などの追加映像を、サーバーからダウンロードでき、ハードディスクに記録できる複合型記録再生装置を提供することを目的とする。
【課題を解決するための手段】
【００１０】
上記目的を達成するために、請求項１の発明は、光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、挿入された光ディスクは前記サーバーから特典データをダウンロードさせることが可能なメディアであるか否かを当該光ディスクのディスク管理情報により判定するダウンロード可能メディア判定手段と、当該光ディスクがダウンロード可能メディアであると判定されたときに、前記ハードディスクに以前にダウンロードされた特典データが有るか否かを判定する特典データ有無判定手段と、前記ハードディスクに以前にダウンロードされた特典データが有ると判定されたときに、前記サーバーに最新の特典データが有るか無いかの確認操作がされたか否かを判定する最新特典データ確認操作判定手段と、前記ハードディスクに以前にダウンロードされた特典データが無いと判定されたときに、前記サーバーに特典データが有るか無いかの確認操作がされたか否かを判定する特典データ確認操作判定手段と、前記最新特典データ確認操作がされたと判定されたときに、前記サーバーに接続して前記サーバーに最新の特典データが有るか無いかの確認を、当該光ディスクの特典データ識別情報に対応する前記サーバー内の特典データ識別情報と、この特典データ識別情報に対応する特典データ登録年月日とを参照して行う最新特典データ有無確認手段と、前記特典データ確認操作がされたと判定されたときに、前記サーバーに接続して前記サーバーに特典データが有るか無いかの確認を、当該光ディスクのディスク管理情報に含まれる特典データ識別情報に対応する前記サーバー内の特典データ識別情報により行う特典データ有無確認手段と、前記最新特典データ有無確認手段により前記サーバーに最新の特典データが有ることが確認されたとき、ダウンロードを開始して前記ハードディスクに前記最新の特典データを記録させると共に、前記特典データ有無確認手段により前記サーバーに特典データが有ることが確認されたとき、ダウンロードを開始して前記ハードディスクに前記特典データを記録させるダウンロード手段とを有するシステムコントローラを備えたことを特徴とする複合型記録再生装置を提供する。
【００１１】
この構成において、先ず、光ディスクが光ディスク装置に挿入されると、ダウンロード可能メディア判定手段は、ディスク管理情報により、当該光ディスクについてダウンロード可能メディアであるか否かを判定する。当該光ディスクがダウンロード可能なメディアであると判定されたときに、特典データ有無判定手段は、ハードディスクに以前にダウンロードされた特典データが有るか否かを判定する。ハードディスクに以前にダウンロードされた特典データが有ると判定されたときに、最新特典データ確認操作判定手段は、サーバーに最新の特典データが有るか無いかの確認操作がされたか否かを判定する。
【００１２】
最新特典データ確認操作がユーザによって行われた場合には、最新特典データ有無確認手段は、複合型記録再生装置をサーバーに接続し、サーバーに最新の特典データが有るか否かを確認する。この最新の特典データの確認は、サーバーに保存されている特典データ識別情報および特典データ登録年月日を検索することにより可能である。前記最新特典データ有無確認手段により、サーバーに最新の特典データが有ることが確認されたとき、ダウンロード手段は、ダウンロードを開始し、サーバーから最新の特典データを読み出し、ハードディスクに最新の特典データを記録させる。したがって、ハードディスクから最新の特典データを読み出してモニタ装置に入力すれば、モニタ装置に最新の追加映像を表示でき、これにより、購入者は、最新の追加映像を楽しむことができる。
【００１３】
一方、ハードディスクに特典データが無いと判定されたときは、特典データ確認操作判定手段は、サーバーに特典データが有るか無いかの確認操作がされたか否かを判定する。特典データ確認操作がユーザによって行われた場合には、特典データ有無確認手段は、複合型記録再生装置をサーバーに接続し、サーバーに特典データが有るか否かを確認する。前記特典データ有無確認手段により、サーバーに特典データが有ることが確認されたとき、ダウンロード手段は、ダウンロードを開始し、サーバーから特典データを読み出し、ハードディスクに特典データを記録させる。したがって、ハードディスクから特典データを読み出してモニタ装置に入力すれば、モニタ装置に追加映像を表示でき、これにより、購入者は、追加映像を楽しむことができる。
【００１４】
この構成によれば、映画や音楽コンサートなどの情報を記録した光ディスクを購入した特典として、購入者だけがＮＧシーンなどのカット映像やメイキング映像などの追加映像を、サーバーからダウンロードでき、ハードディスクに記録できるので、光ディスクの購入者は、ＮＧシーンのなどのカット映像やメイキング映像などの追加映像を観るために、その追加映像を記録した光ディスクをディスク販売店や通信販売などで購入する必要が無くなり、結果的には、特典の有る光ディスクの購入意欲が高まることになる。
【００１５】
請求項２の発明は、光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、挿入された光ディスクが前記サーバーから特典データをダウンロードさせることが可能なメディアである場合に、前記サーバーから特典データを前記ハードディスクにダウンロードする操作がされたときに、前記サーバーに接続して前記サーバーに特典データが有るか無いかの確認を行って前記サーバーに特典データが有れば、この特典データを前記ハードディスクにダウンロードする制御を行い、前記特典データが以前に前記ハードディスクに記録されている場合は、前記サーバーに最新の特典データが有るか無いかの確認を行って前記サーバーに最新の特典データが有れば、この最新の特典データを前記ハードディスクにダウンロードする制御を行うシステムコントローラを備えたことを特徴する複合型記録再生装置を提供する。
【００１６】
この構成において、挿入された光ディスクがサーバーから特典データをダウンロードさせることが可能なメディアである場合に、サーバーから特典データをハードディスクにダウンロードする操作がされたときに、サーバーに接続してサーバーに特典データが有るか無いかの確認が行われる。サーバーに特典データが有れば、この特典データがハードディスクにダウンロードされる。特典データが以前にハードディスクに記録されている場合は、サーバーに最新の特典データが有るか無いかの確認が行われ、サーバーに最新の特典データが有れば、この最新の特典データがハードディスクにダウンロードされる。
【００１７】
この構成によれば、映画や音楽コンサートなどの情報を記録した光ディスクを購入した特典として、購入者だけがＮＧシーンなどのカット映像やメイキング映像などの追加映像を、サーバーからダウンロードでき、ハードディスクに記録できるので、光ディスクの購入者は、ＮＧシーンのなどのカット映像やメイキング映像などの追加映像を観るために、その追加映像を記録した光ディスクをディスク販売店や通信販売などで購入する必要が無くなり、結果的には、特典の有る光ディスクの購入意欲が高まることになる。
【００１８】
請求項３の発明では、請求項２の発明において、前記サーバーに特典データが有るか無いかの確認は、当該光ディスクのディスク管理情報に含まれる特典データ識別情報に対応する前記サーバー内の特典データ識別情報により行うので、前記サーバーにおける特典データの有無の確認を容易に行うことができる。
【００１９】
請求項４の発明では、請求項２の発明において、前記サーバーに最新の特典データが有るか無いかの確認は、当該特典データの特典データ識別情報に対応する前記サーバー内の特典データ識別情報と、この特典データ識別情報に対応する特典データ登録年月日とを参照して行うので、前記サーバーにおける最新の特典データの有無の確認を容易に行うことができる。
【００２０】
請求項５の発明では、請求項２の発明において、前記システムコントローラは、挿入された光ディスクは前記サーバーから特典データをダウンロードさせることが可能なメディアであるか否かを当該光ディスクのディスク管理情報により判定するダウンロード可能メディア判定手段と、当該光ディスクがダウンロード可能メディアであると判定されたときに、前記ハードディスクに以前にダウンロードされた特典データが有るか否かを判定する特典データ有無判定手段と、前記ハードディスクに以前にダウンロードされた特典データが有ると判定されたときに、前記サーバーに最新の特典データが有るか無いかの確認操作がされたか否かを判定する最新特典データ確認操作判定手段と、前記ハードディスクに以前にダウンロードされた特典データが無いと判定されたときに、前記サーバーに特典データが有るか無いかの確認操作がされたか否かを判定する特典データ確認操作判定手段と、前記最新特典データ確認操作がされたと判定されたときに、前記サーバーに接続して前記サーバーに最新の特典データが有るか無いかの確認を、当該光ディスクの特典データ識別情報に対応する前記サーバー内の特典データ識別情報と、この特典データ識別情報に対応する特典データ登録年月日とを参照して行う最新特典データ有無確認手段と、前記特典データ確認操作がされたと判定されたときに、前記サーバーに接続して前記サーバーに特典データが有るか無いかの確認を、当該光ディスクのディスク管理情報に含まれる特典データ識別情報に対応する前記サーバー内の特典データ識別情報により行う特典データ有無確認手段と、前記最新特典データ有無確認手段により前記サーバーに最新の特典データが有ることが確認されたとき、ダウンロードを開始して前記ハードディスクに前記最新の特典データを記録させると共に、前記特典データ有無確認手段により前記サーバーに特典データが有ることが確認されたとき、ダウンロードを開始して前記ハードディスクに前記特典データを記録させるダウンロード手段とを有する。
【００２１】
したがって、前記システムコントローラは、ダウンロード可能メディア判定処理、特典データ有無判定処理、最新特典データ確認操作判定処理、特典データ確認操作判定処理、最新特典データ有無確認処理、特典データ有無確認処理、およびダウンロード処理を実現でき、これにより、映画や音楽コンサートなどの情報を記録した光ディスクを購入した特典として、購入者だけがＮＧシーンなどのカット映像やメイキング映像などの追加映像を、サーバーからダウンロードすることが可能になり、ハードディスクに記録できるようになる。
【発明の効果】
【００２２】
以上のように本発明によれば、挿入された光ディスクはサーバーから特典データをダウンロードさせることが可能なメディアであるか否かを当該光ディスクのディスク管理情報により判定するダウンロード可能メディア判定手段と、当該光ディスクがダウンロード可能メディアであると判定されたときに、ハードディスクに以前にダウンロードされた特典データが有るか否かを判定する特典データ有無判定手段と、前記ハードディスクに以前にダウンロードされた特典データが有ると判定されたときに、前記サーバーに最新の特典データが有るか無いかの確認操作がされたか否かを判定する最新特典データ確認操作判定手段と、前記ハードディスクに以前にダウンロードされた特典データが無いと判定されたときに、前記サーバーに特典データが有るか無いかの確認操作がされたか否かを判定する特典データ確認操作判定手段と、前記最新特典データ確認操作がされたと判定されたときに、前記サーバーに接続して前記サーバーに最新の特典データが有るか無いかの確認を、当該光ディスクの特典データ識別情報に対応する前記サーバー内の特典データ識別情報と、この特典データ識別情報に対応する特典データ登録年月日とを参照して行う最新特典データ有無確認手段と、前記特典データ確認操作がされたと判定されたときに、前記サーバーに接続して前記サーバーに特典データが有るか無いかの確認を、当該光ディスクのディスク管理情報に含まれる特典データ識別情報に対応する前記サーバー内の特典データ識別情報により行う特典データ有無確認手段と、前記最新特典データ有無確認手段により前記サーバーに最新の特典データが有ることが確認されたとき、ダウンロードを開始して前記ハードディスクに前記最新の特典データを記録させると共に、前記特典データ有無確認手段により前記サーバーに特典データが有ることが確認されたとき、ダウンロードを開始して前記ハードディスクに前記特典データを記録させるダウンロード手段とを有するシステムコントローラを備えたので、映画や音楽コンサートなどの情報を記録した光ディスクを購入した特典として、購入者だけがＮＧシーンなどのカット映像やメイキング映像などの追加映像を、サーバーからダウンロードできてハードディスクに記録できるようになり、これにより、光ディスクの購入者は、ＮＧシーンのなどのカット映像やメイキング映像などの追加映像を観るために、その追加映像を記録した光ディスクをディスク販売店や通信販売などで購入する必要が無くなり、結果的には、特典の有る光ディスクの購入意欲が高まることになる。
【００２３】
また、本発明によれば、挿入された光ディスクがサーバーから特典データをダウンロードさせることが可能なメディアである場合に、前記サーバーから特典データをハードディスクにダウンロードする操作がされたときに、前記サーバーに接続して前記サーバーに特典データが有るか無いかの確認を行って前記サーバーに特典データが有れば、この特典データを前記ハードディスクにダウンロードする制御を行い、前記特典データが以前に前記ハードディスクに記録されている場合は、前記サーバーに最新の特典データが有るか無いかの確認を行って前記サーバーに最新の特典データが有れば、この最新の特典データを前記ハードディスクにダウンロードする制御を行うシステムコントローラを備えたので、映画や音楽コンサートなどの情報を記録した光ディスクを購入した特典として、購入者だけがＮＧシーンなどのカット映像やメイキング映像などの追加映像を、サーバーからダウンロードできてハードディスクに記録でき、これにより、光ディスクの購入者は、ＮＧシーンのなどのカット映像やメイキング映像などの追加映像を観るために、その追加映像を記録した光ディスクをディスク販売店や通信販売などで購入する必要が無くなり、結果的には、特典の有る光ディスクの購入意欲が高まることになる。
【発明を実施するための最良の形態】
【００２４】
以下、添付図面を参照しつつ、本発明の実施の形態について説明する。図１は本発明の一実施形態に係る複合型記録再生装置の構成を示すブロック図である。この複合型記録再生装置では、光ディスクに対して情報を記録したり、再生したりすることが可能なＤＶＤレコーダである光ディスク装置を搭載した構成を示すが、光ディスク装置としては、光ディスクに記録された情報を再生することのみ可能なＤＶＤプレイヤであっても良い。
【００２５】
図１において、複合型記録再生装置１は、光ディスクとしてのＤＶＤ１３に対して情報の記録／再生を行う光ディスク装置２と、ハードディスク１４に対して情報の記録／再生を行うハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２６】
システムコントローラ１０は、本実施形態の特徴として、挿入された光ディスクはサーバー１６から特典データをダウンロードさせることが可能なメディアであるか否かを当該光ディスクのディスク管理情報により判定するダウンロード可能メディア判定手段と、当該光ディスクがダウンロード可能メディアであると判定されたときに、ハードディスク１４に以前にダウンロードされた特典データが有るか否かを判定する特典データ有無判定手段と、ハードディスク１４に以前にダウンロードされた特典データが有ると判定されたときに、サーバー１６に最新の特典データが有るか無いかの確認操作がされたか否かを判定する最新特典データ確認操作判定手段と、ハードディスク１４に以前にダウンロードされた特典データが無いと判定されたときに、サーバー１６に特典データが有るか無いかの確認操作がされたか否かを判定する特典データ確認操作判定手段と、前記最新特典データ確認操作がされたと判定されたときに、サーバー１６に接続してサーバー１６に最新の特典データが有るか無いかの確認を、当該光ディスクの特典データ識別情報に対応するサーバー１６内の特典データ識別情報と、この特典データ識別情報に対応する特典データ登録年月日とを参照して行う最新特典データ有無確認手段と、前記特典データ確認操作がされたと判定されたときに、サーバー１６に接続してサーバー１６に特典データが有るか無いかの確認を、当該光ディスクのディスク管理情報に含まれる特典データ識別情報に対応するサーバー１６内の特典データ識別情報により行う特典データ有無確認手段と、前記最新特典データ有無確認手段によりサーバー１６に最新の特典データが有ることが確認されたとき、ダウンロードを開始してハードディスク１４に前記最新の特典データを記録させると共に、前記特典データ有無確認手段によりサーバー１６に特典データが有ることが確認されたとき、ダウンロードを開始してハードディスク１４に前記特典データを記録させるダウンロード手段とを有する。
【００２７】
前記特典データとは、ＤＶＤ１３に映画が記録されているとすると、映画の映像の中でカットされている映像、ＮＧシーンの映像、出演者のメイキングの様子を示す映像、撮影の様子を示す映像などのデータであり、ＤＶＤ１３を購入した特典として、サーバー１６からダウンロードされるデータである。前記特典データ識別情報とは、当該ＤＶＤに記録されている情報が例えば映画であれば、そのタイトル名などである。
【００２８】
図２は本実施形態において最新特典データ確認操作を行う際にモニタ装置に表示されるメッセージの一例を示す表示画面図である。図２において、表示画面１２ａには、「サーバーに最新の特典データが有るか無いかの確認をしますか」と言うメッセージが表示され、「はい」をリモコン操作により選択して決定すると、サーバーに対して当該ＤＶＤに関する最新の特典データが有るか無いかの確認を行うための処理が実行される。
【００２９】
図３は本実施形態において特典データ確認操作を行う際にモニタ装置に表示されるメッセージの一例を示す表示画面図である。図３において、表示画面１２ｂには、「サーバーに特典データが有るか無いかの確認をしますか」と言うメッセージが表示され、「はい」をリモコン操作により選択して決定すると、サーバーに対して当該ＤＶＤに関する特典データが有るか無いかの確認を行うための処理が実行される。
【００３０】
図４は本実施形態においてＤＶＤ内のディスク管理情報に含まれるディスクＩＤとダウンロード可能情報と特典データ識別情報との関係を示すテーブルの内容を説明するための図である。図４において、ディスクＩＤは複合型記録再生装置１の光ディスク装置２に挿入されたＤＶＤの種類や製造年月日などの固有の識別子である。ダウンロード可能情報は、当該ＤＶＤを購入した特典として特典データを、サーバーからダウンロードさせることを可能にするための情報である。特典データ識別情報は、サーバーから特典データをダウンロードする際に、その特典データを識別するための情報であり、タイトル名などに相当する。例えば、当該ＤＶＤのディスクＩＤがａ１であった場合、ダウンロード可能情報はａ２であり、特典データ識別情報はａ３であることを示している。また、当該ＤＶＤのディスクＩＤがｂ１であった場合は、ダウンロード可能情報および特典データ識別情報は無いことを示している。つまり、ディスクＩＤがｂ１のＤＶＤは、購入しても特典は無いことを示している。
【００３１】
図５は本実施形態においてサーバー内に保存される特典データ識別情報と特典データと特典データの登録年月日と追加特典データの追加登録年月日と更新特典データの更新登録年月日との関係を示すテーブルの内容を説明するための図である。図５において、例えば、特典データ識別情報がａ３であった場合、特典データはａ４であり、この登録年月日は２００６年１月２日である。また、ａ４＋ａ５は、２００６年４月５日に追加登録された特典データである。また、ａ６は、２００６年５月６日に更新登録された特典データである。特典データ識別情報がｅ３であった場合、特典データはｅ４であり、この登録年月日は２００５年１０月７日である。また、ｅ５は、２００５年１２月２８日に更新登録された特典データである。
【００３２】
図６は本実施形態においてハードディスク内に記録される特典データ識別情報とダウンロード年月日と特典データとの関係を示すテーブルの内容を説明するための図である。図６において、特典データ識別情報は、購入特典があるＤＶＤのうちで特典データをサーバーからダウンロードして、ハードディスクに記録された特典データを識別するための特典データ識別情報である。ダウンロード年月日は、サーバーから特典データをダウンロードしてハードディスクに記録された年月日示すものであり、ダウンロードした年月日に相当するものである。
【００３３】
図６において、ａ３は特典データ識別情報であり、ａ４は、特典データ識別情報ａ３により検索され、２００６年１月３０日にサーバーからダウンロードされてハードディスクに記録された特典データである。ａ４＋ａ５は、特典データ識別情報ａ３および追加登録年月日（図５参照）を参照して検索され、２００６年４月１０日にサーバーからダウンロードされてハードディスクに記録された追加特典データである。ａ６は、特典データ識別情報ａ３および更新登録年月日（図５参照）を参照して検索され、２００６年５月１２日にサーバーからダウンロードされてハードディスクに記録された更新特典データである。
【００３４】
図７は本実施形態においてサーバーからの特典データをダウンロードする処理を説明するためのフローチャートである。このフローチャートおよび図１〜図６を参照してサーバーからの特典データをダウンロードする処理について説明する。
【００３５】
先ず、ＤＶＤ１３が光ディスク装置２に挿入されると、システムコントローラ１０は、ＤＶＤ１３が挿入されたことを検知し（ステップＳ１）、光ディスク装置２に対してマウント処理を実行させることにより、ＤＶＤ１３からディスク管理情報を読み出してデコーダ５で復号する。システムコントローラ１０のダウンロード可能メディア判定手段は、前記復号されたディスク管理情報の中にＤＶＤ１３に対する特典データをサーバー１６からダウンロードすることを可能にするダウンロード可能情報（図４参照）が含まれているか否かを判定することにより、このＤＶＤ１３についてサーバー１６から特典データをダウンロードさせることが可能なダウンロード可能メディアであるか否かを判定する（ステップＳ３）。
【００３６】
ＤＶＤ１３のディスク管理情報にダウンロード可能情報が含まれており、ＤＶＤ１３がダウンロード可能なメディアであると判定されたときに、システムコントローラ１０の特典データ有無判定手段は、ハードディスク１４に以前にダウンロードされた特典データが有るか否かを判定する（ステップＳ４）。この特典データが有るか否かの判定は、ＤＶＤ１３のディスク管理情報に含まれる特典データ識別情報（タイトル名など）に従ってハードディスク１４に記録されている特典データ識別情報（タイトル名など）に対応する特典データの有無を調べることにより可能である。例えば、当該ＤＶＤ１３のディスク管理情報に含まれる特典データ識別情報がａ３であれば、ハードディスク１４内においてディスク識別情報ａ３に対応する特典データが有るか無いかを調べることにより、当該ＤＶＤ１３に対する特典データが以前にダウンロードされたかどうかが分かる。
【００３７】
ハードディスク１４に以前にダウンロードされた特典データが有ると判定されたときに、システムコントローラ１０の最新特典データ確認操作判定手段は、サーバー１６に最新の特典データが有るか無いかの確認操作がされたか否かを判定する（ステップＳ５）。即ち、ハードディスク１４に以前にダウンロードされた特典データが有ると判定されたときに、モニタ装置１２には、例えば、図２に示すように「サーバーに最新の特典データが有るか無いかの確認をしますか」と言うメッセージが表示され、ユーザが「はい」をリモコン１１により選択して決定すると、最新特典データ確認操作判定手段は、最新特典データ確認操作がユーザによって行われたこと検知し、ユーザが「いいえ」をリモコン１１により選択して決定すると、最新特典データ確認操作判定手段は、最新特典データ確認操作がユーザによって行われなかったこと検知する。
【００３８】
最新特典データ確認操作がユーザによって行われなかった場合は、このまま本処理は終了するが、最新特典データ確認操作がユーザによって行われた場合には、システムコントローラ１０の最新特典データ有無確認手段は、インターフェイス１５およびインターネット１７を介して複合型記録再生装置１をサーバー１６に接続し（ステップＳ７）、サーバー１６に最新の特典データが有るか否かを確認する（ステップＳ８）。この最新の特典データの確認は、サーバー１６に保存されている特典データ識別情報および特典データ登録年月日を検索することにより可能である。その特典データ識別情報は、ＤＶＤ１３においては、例えば、図４に示すように、ディスクＩＤに対応させて特典データ識別情報が記録されているので、特典データ識別情報ａ３をサーバー１６に送れば、サーバー１６では、特典データ識別情報ａ３に対応する特典データが読み出し可能となる。
【００３９】
ところで、ハードディスク１４に記録されている特典データよりも新しい特典データがサーバー１６に有るか否かの判定は、特典データ識別情報に従ってサーバー１６内に追加特典データや更新特典データが有るかを調べれば良い。例えば、図５に示すように、特典データ識別情報ａ３に対応する追加特典データａ４＋ａ５や更新特典データａ６がサーバー１６内に有れば、特典データａ４に対する最新の特典データが有ると判定することができる。この場合、特典データａ４の登録年月日（２００６年１月２日）より後に、追加登録年月日（２００６年４月５日）や更新登録年月日（２００６年５月６日）が有るか無いかを調べることによって、特典データａ４に対する最新の特典データが有るか無いかを判定することができる。
【００４０】
要するに、ＤＶＤ１３を購入した特典としての特典データをサーバー１６から探し出すのに、当該ＤＶＤ１３のディスク管理情報に含まれる特典データ識別情報（タイトル名など）を用いれば、サーバー１６内の特典データを探すことができ、これにより、所望する特典データをサーバー１６からハードディスク１４にダウンロードすることが可能になる。また、サーバー１６内の最新の特典データを検索するには、以前に複合型記録再生装置１からサーバー１６にアクセスして、サーバー１６からハードディスク１４にダウンロードした時点よりも後に、サーバー１６において追加または更新された特典データが有れば、この特典データが最新の特典データになるので、この特典データを検索すれば良いことになる。
【００４１】
さて、図５に示すように、特典データ識別情報ａ３に対応する特典データａ４は２００６年１月２日にサーバー１６に登録され、この後、２００６年４月５日に追加登録され、サーバー１６内では、特典データはａ４＋ａ５となる。更に、２００６年５月６日に更新された特典データはａ６となる。したがって、２００６年１月２日から２００６年４月４日の間（この例の場合、２００６年１月３０日）にダウンロードすると、特典データａ４がハードディスク１４に記録される。また、２００６年４月５日から２００６年５月５日の間（この例の場合、２００６年４月１０日）にダウンロードすると、特典データａ４に特典データａ５が追加された特典データａ４＋ａ５がハードディスク１４に記録される。更に、２００６年５月６日以降（この例の場合、２００６年５月１２日）にダウンロードすると、更新された特典データａ６がハードディスク１４に記録される。
【００４２】
前記最新特典データ有無確認手段により、サーバー１６に最新の特典データが有ることが確認されたとき（ステップＳ８）、システムコントローラ１０のダウンロード手段は、ダウンロードを開始し（ステップＳ９）、サーバー１６から最新の特典データを読み出し、インターネット１７を介してインターフェイス１５で受信し、ハードディスク装置３を記録動作させ、ハードディスク１４に最新の特典データを記録させる（ステップＳ１０）。即ち、ＤＶＤ１３に対する最新の特典データが、サーバー１６から複合型記録再生装置１のハードディスク１４にダウンロードされることになる。ダウンロードが終了すれば（ステップＳ１１）、本処理は終了する。したがって、ハードディスク装置３を再生動作させ、ハードディスク１４から最新の特典データを読み出してモニタ装置１２に入力すれば、最新の追加映像をモニタ装置１２に表示でき、これにより、購入者は、最新の追加映像を楽しむことができる。
【００４３】
一方、ステップＳ４において、ハードディスク１４に特典データが無いと判定されたときは、システムコントローラ１０の特典データ確認操作判定手段は、サーバー１６に特典データが有るか無いかの確認操作がされたか否かを判定する（ステップＳ６）。即ち、ハードディスク１４にダウンロードされた特典データが無いと判定されたときに、モニタ装置１２には、例えば、図３に示すように「サーバーに特典データが有るか無いかの確認をしますか」と言うメッセージが表示され、ユーザが「はい」をリモコン１１により選択して決定すると、特典データ確認操作判定手段は、特典データ確認操作がユーザによって行われたこと検知し、ユーザが「いいえ」をリモコン１１により選択して決定すると、特典データ確認操作判定手段は、特典データ確認操作がユーザによって行われなかったこと検知する。
【００４４】
特典データ確認操作がユーザによって行われなかった場合は、このまま本処理は終了するが、特典データ確認操作がユーザによって行われた場合には、システムコントローラ１０の特典データ有無確認手段は、インターフェイス１５およびインターネット１７を介して複合型記録再生装置１をサーバー１６に接続し、サーバー１６に特典データが有るか否かを確認する（ステップＳ８）。この特典データの確認は、サーバー１６に保存されている特典データ識別情報に対応する特典データを検索することにより可能である。即ち、当該ＤＶＤ１３を購入した特典としての特典データをサーバー１６から探し出すのに、当該ＤＶＤ１３のディスク管理情報に含まれる特典データ識別情報（タイトル名など）を用い、サーバー１６に対して、その特典データ識別情報に対応する特典データを読み出すことができるので、当該ＤＶＤ１３に対する特典データをサーバー１６から探し出すことが可能になる。
【００４５】
前記特典データ有無確認手段により、サーバー１６に特典データが有ることが確認されたとき、システムコントローラ１０のダウンロード手段は、ダウンロードを開始し（ステップＳ９）、サーバー１６から特典データを読み出し、インターネット１７を介してインターフェイス１５で受信し、ハードディスク１４に特典データを記録させる（ステップＳ１０）。即ち、ＤＶＤ１３の特典データが、サーバー１６から複合型記録再生装置１のハードディスク１４にダウンロードされることになる。ダウンロードが終了すれば（ステップＳ１１）、本処理は終了する。したがって、ハードディスク装置３を再生動作させ、ハードディスク１４から最新の特典データを読み出してモニタ装置１２に入力すれば、追加映像をモニタ装置１２に表示でき、これにより、購入者は、追加映像を楽しむことができる。
【００４６】
以上説明したように本実施形態によれば、光ディスクの購入者だけがＮＧシーンなどのカット映像やメイキング映像などの追加映像を、サーバー１６からダウンロードできてハードディスク１４に記録でき、これにより、光ディスクの購入者は、ＮＧシーンのなどのカット映像やメイキング映像などの追加映像を観るために、その追加映像を記録した光ディスクをディスク販売店や通信販売などで購入する必要が無くなり、結果的には、特典の有る光ディスクの購入意欲が高まることになる。
【産業上の利用可能性】
【００４７】
本発明において、光ディスクを購入した特典として、購入者だけがＮＧシーンなどのカット映像やメイキング映像などの追加映像を、サーバーからダウンロードできてハードディスクに記録できるようにする機能は、光ディスク装置とハードディスク装置とを備えた複合型記録再生装置に利用できる。
【図面の簡単な説明】
【００４８】
【図１】本発明の一実施形態に係る複合型記録再生装置の構成を示すブロック図である。
【図２】前記実施形態において最新特典データ確認操作を行う際にモニタ装置に表示されるメッセージの一例を示す表示画面図である。
【図３】前記実施形態において特典データ確認操作を行う際にモニタ装置に表示されるメッセージの一例を示す表示画面図である。
【図４】前記実施形態においてＤＶＤ内のディスク管理情報に含まれるディスクＩＤとダウンロード可能情報と特典データ識別情報との関係を示すテーブルの内容を説明するための図である。
【図５】前記実施形態においてサーバー内に保存される特典データ識別情報と特典データと特典データの登録年月日と追加特典データの追加登録年月日と更新特典データの更新登録年月日との関係を示すテーブルの内容を説明するための図である。
【図６】前記実施形態においてハードディスク内に記録される特典データ識別情報とダウンロード年月日と特典データとの関係を示すテーブルの内容を説明するための図である。
【図７】前記実施形態においてサーバーからの特典データをダウンロードする処理を説明するためのフローチャートである。
【符号の説明】
【００４９】
１    複合型記録再生装置
２    光ディスク装置
３    ハードディスク装置
１０    システムコントローラ
１３    ＤＶＤ（光ディスク）
１４    ハードディスク
１６    サーバー
【図１】
2007323136.tif 000003
【図２】
2007323136.tif 000004
【図３】
2007323136.tif 000005
【図４】
2007323136.tif 000006
【図５】
2007323136.tif 000007
【図６】
2007323136.tif 000008
【図７】
2007323136.tif 000009